(57)【要約】【課題】開閉ユニットの開閉を検知するコンパクトな機構を備えた電子機器を提供する。【解決手段】電子機器は、筐体と、筐体に対して筐体の側面に直交する方向に開閉可能な開閉ユニット（１１０）と、筐体に対して開閉ユニットを開閉可能に連結し、カム溝（１５０）が形成されたヒンジユニット（１２０）と、筐体内部に配置され、開閉ユニットの開閉に応じた信号を出力するスイッチ（１９０）を備えた電子制御基盤（２２０）と、開閉ユニットの開閉に伴ってヒンジユニットに形成されたカム溝と連携して動作することにより、筐体の側面に並行な方向に移動して電子基盤のスイッチのＯＮ／ＯＦＦを行う移動部材（１６０）と、を備える。【選択図】図４
2014158260.tif 000002
【特許請求の範囲】
【請求項１】
筐体と、
前記筐体の側面に配置され、前記筐体に対して、開閉可能な開閉ユニットと、
前記筐体に対して前記開閉ユニットを開閉可能に連結し、カム溝が形成されたヒンジユニットと、
前記筐体内部に配置され、状態に応じた信号を出力するスイッチを備えた電子制御基盤と、
前記開閉ユニットの開閉に伴って前記ヒンジユニットに形成された前記カム溝と連携して動作することにより、前記筐体の側面に並行な方向に移動して前記電子基盤の前記スイッチの前記状態を変化させる移動部材と、
を備えた電子機器。
【請求項２】
前記移動部材は、前記開閉ユニットの開閉に伴って、前記移動部材の一部が前記カム溝に沿って移動して前記筐体の側面に並行な方向に回転することにより、前記スイッチと当接した状態と、前記スイッチと当接していない状態とを遷移して、前記スイッチの状態を変化させる、
請求項１に記載の電子機器。
【請求項３】
前記カム溝は、前記ヒンジユニット表面において、螺旋の一部をなす形状に形成されている、請求項１又は２に記載の電子機器。
【請求項４】
前記開閉ユニットは表示装置を含み、
前記スイッチは、前記状態が変化されるに応じて、前記表示装置の画面表示のＯＮ／ＯＦＦを制御するための信号を出力する、
請求項１ないし３のいずれか１つに記載の電子機器。
【請求項５】
撮像装置である、請求項１ないし４のいずれか１つに記載の電子機器。
【発明の詳細な説明】
【技術分野】
【０００１】
本開示は、機器本体に対して開閉ユニットを開閉自在に連結するヒンジユニットを備えた電子機器に関する。
【背景技術】
【０００２】
デジタルビデオカメラにおいて、開閉ユニットを備えたものが普及している。例えば、特許文献１は、ビデオカメラの本体に対して開閉ユニット（ＬＣＤ）が開閉する機構を開示している。
【０００３】
このようなビデオカメラは、開閉ユニットの開閉に応じて電源のオン・オフを制御しており、このため開閉ユニットの開閉を検知する機構を備えている。
【先行技術文献】
【特許文献】
【０００４】
【特許文献１】特開２００７−１１０２１４号公報
【発明の概要】
【発明が解決しようとする課題】
【０００５】
本開示は、開閉を検知できるよりコンパクトな機構を備えた電子機器を提供する。
【課題を解決するための手段】
【０００６】
本開示の電子機器は、筐体と、筐体に対して筐体の側面に直交する方向に開閉可能な開閉ユニットと、筐体に対して開閉ユニットを開閉可能に連結し、カム溝が形成されたヒンジユニットと、筐体内部に配置され、開閉ユニットの開閉に応じた信号を出力するスイッチを備えた電子制御基盤と、開閉ユニットの開閉に伴ってヒンジユニットに形成されたカム溝と連携して動作することにより、筐体の側面に並行な方向に移動して電子基盤のスイッチのＯＮ／ＯＦＦを行う移動部材と、を備える。
【発明の効果】
【０００７】
本開示によれば、限られた筐体内スペースであったとしても、開閉を検知できるよりコンパクトな機構を備えた電子機器を提供することができる。
【図面の簡単な説明】
【０００８】
【図１】デジタルビデオカメラ本体の斜視図
【図２】開閉ユニットの開状態（液晶モニタ使用時）のデジタルビデオカメラの斜視図
【図３】開閉ユニット（液晶モニタ）反転時のデジタルビデオカメラの斜視図
【図４】開閉ユニットの開閉機構の斜視図
【図５】ヒンジユニットに形成されたカム溝を説明した図
【図６】開閉ユニットの開閉機構の分解斜視図
【図７】開閉ユニットの開閉に伴う開閉機構の動作の変移を説明した図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１０】
〔実施の形態１〕
本実施の形態にかかるデジタルビデオカメラ（電子機器及び撮像装置の一例）は、デジタルビデオカメラの筐体に対して開閉ユニットを開閉自在に連結するヒンジユニットを備える。このヒンジユニットの表面には、螺旋の一部をなす形状にカム溝を形成している。さらに、デジタルビデオカメラは、カム溝内を移動する突起部を有する開閉レバーを備える。開閉レバーは、カム溝内の突起部の移動に応じて、カメラ筐体の側面に並行な方向に回転する。このようなカム溝および開閉レバーにより、開閉ユニット（液晶モニタ１１０）の回転の動きを筐体側面に沿った平面上の動きに変換することができる。また、デジタルビデオカメラは、開閉ユニットの開閉に応じた信号を出力するスイッチを備えた電子制御基盤を備える。開閉レバーは、その一端がスイッチをＯＮ／ＯＦＦできるように配置されている。開閉レバーの長さを適宜調整することで、ヒンジユニットと電子制御基盤の間の距離が離れていても、スイッチ動作を行うことが可能となる。
【００１１】
以下、本実施の形態にかかるデジタルビデオカメラの構成および動作の詳細について、図を用いて説明する。
【００１２】
図１は、デジタルビデオカメラ１００本体の斜視図である。図１に示すように、デジタルビデオカメラ１００は、液晶モニタを備えた開閉ユニット１１０、ヒンジユニット１２０、操作部１３０、レンズバリア１４０などを備えている。なお、以下の説明において「前方」「後方」「上方」「下方」はそれぞれ、デジタルビデオカメラ１００に対する図１に示す方向に定義する。
【００１３】
開閉ユニット１１０は、デジタルビデオカメラ１００筐体の一方の側面を覆うように配置されている。開閉ユニット１１０は内側の主面（図１においてデジタルビデオカメラ１００筐体と対向する側の面）に液晶モニタ１１５を備えている。
【００１４】
ヒンジユニット１２０は、デジタルビデオカメラ１００筐体の一方の側面の前方に配置されている。ヒンジユニット１２０は、デジタルビデオカメラ１００筐体と、開閉ユニット１１０とを連結する機構を含む。ヒンジユニット１２０は、開閉ユニット１１０を、デジタルビデオカメラ１００筐体に対して開いた状態と閉じた状態に移行させることができる。
【００１５】
操作部１３０は、デジタルビデオカメラ１００筐体の上面に配置されている。操作部１３０は、デジタルビデオカメラ１００筐体内部に配置された電子制御基盤上の端子に電気的に接続されている。ユーザにより操作部１３０が操作されると、操作部１３０から、デジタルビデオカメラ１００の筐体内部に配置された電子制御基盤上のマイクロコンピュータに操作指示の信号が伝達される。これにより、ユーザは、操作部１３０を介してデジタルビデオカメラ１００を操作することができる。
【００１６】
レンズバリア１４０は、デジタルビデオカメラ１００筐体の前面に配置されている。レンズバリア１４０は、デジタルビデオカメラ１００筐体内部の光学系を保護するための部材である。
【００１７】
図２は、開閉ユニット１１０に設けられた液晶モニタ１１５の使用時におけるデジタルビデオカメラ１００の斜視図である。上述したように、開閉ユニット１１０は、ヒンジユニット１２０を介して、デジタルビデオカメラ１００に対して、図２に示すように開いた状態をとることができる。開閉ユニット１１０を、デジタルビデオカメラ１００筐体に対して開いた状態とすることで、ユーザは、液晶モニタ１１５に表示されたスルー画像を見ながら、被写体の構図を決めることが可能となる。
【００１８】
図３は、開閉ユニット１１０（液晶モニタ１１５）反転時のデジタルビデオカメラ１００の斜視図である。開閉ユニット１１０は、デジタルビデオカメラ１００に対して開いた状態から更に、図３に示すように、液晶モニタ１１５がデジタルビデオカメラ１００の前方を向くように、状態を反転させることができる。これにより、被写体となっているユーザは、液晶モニタ１１５に表示されたスルー画像を見ながら、自身の写り具合を確認することができる。
【００１９】
図４は、開閉ユニット１１０の開閉機構の斜視図である。図４は、デジタルビデオカメラ１００の筐体内部側から開閉ユニット１１０を見たときの、開閉機構１１０の開閉機構の構成を示している。図４に示すように、開閉ユニット１１０の開閉機構は、ヒンジユニット１２０、開閉レバー１６０、スイッチ１９０、電子制御基盤２２０などから構成されている。
【００２０】
ヒンジユニット１２０の外周には図５に示すようにカム溝１５０が形成されている。カム溝１５０は、ヒンジユニット１２０の表面に沿って、螺旋の一部をなす形状を有する。具体的には、カム溝１５０は、ヒンジユニット１２０の表面に沿って、ヒンジユニット１２０の端部から中央部に向かって、斜め上方に延びるように形成されている。
【００２１】
カム溝１５０は図４に示すようにヒンジユニット１２０の下方領域、すなわち、電子制御基盤２２０に近い方の領域に形成されている。そのような位置にカム溝１５０を形成することより、開閉レバー１６０をスイッチ１９０により近づけることができ、開閉レバー１６０の長さを短くすることができる。また、ヒンジユニット１２０の上方領域、すなわち、ヒンジユニット１２０の電子制御基盤２２０に遠い領域を、他の用途に有効活用することができる。
【００２２】
開閉レバー１６０の上部１６５ａの末端の裏側には、カム溝１５０に挿入されるレバーピン１８０が形成されている。開閉レバー１６０の中央部は、レバー回転軸１７０を挿入するための孔が形成されている。開閉レバー１６０は、レバー回転軸１７０により、回転中心の位置決めがなされている。開閉レバー１６０は、レバー回転軸１７０の位置を中心として回転することができる。開閉レバー１６０の下部１６５ｂの末端は、スイッチ１９０の一部と当接してスイッチ１９０を起動させることができるようになっている。
【００２３】
スイッチ１９０は、開閉ユニット１１０の開閉を検知し、検知した結果を示す信号を出力する。スイッチ１９０は、スイッチ本体２００、スイッチレバー２１０から構成されている。スイッチ本体２００は、電子制御基盤２２０上に配置されている。スイッチレバー２１０は、スイッチ本体２００に備えられ、スイッチ本体２００に対して向き（ＯＮ状態の向き／ＯＦＦ状態の向き）が切り替えられるように構成される。
【００２４】
スイッチレバー２１０は、通常、ＯＦＦ状態の向きを保つように付勢されている。開閉レバーの下部１６５ｂが、スイッチレバー２１０に対する付勢に抗うように、スイッチレバー２１０を押し倒すことで、スイッチレバー２１０をＯＦＦ状態の向きからＯＮ状態の向きに切り替えることができる。ここで、ＯＦＦ状態とは、開閉ユニット１１０の閉じた状態に対応し、ＯＮ状態とは、開閉ユニット１１０の開いた状態に対応する。スイッチ本体２００は、電子制御基盤２２０上の他の電子部品と電気的に接続されており、スイッチレバー２１０の向きの切り替わりに応じて、他の電子部品に対して、向きの状態（ＯＮ状態／ＯＦＦ状態）、すなわち、開閉ユニット１１０の開閉に応じた信号を伝達することができる。例えば、開閉ユニット１１０の開閉に応じてスイッチ１９０から出力される信号に基づき、液晶モニタ１１５上での画像表示のＯＮ／ＯＦＦが制御される。なお、上記の例では、一例として、スイッチレバー２１０は通常ＯＦＦ状態の向きを保つように付勢されているとしたが、これに限定されず、ＯＮ状態の向きを保つように付勢されてもよい。
【００２５】
図６は、開閉ユニット１１０の開閉機構の分解斜視図である。図６は、デジタルビデオカメラ１００の筐体内部側から見た、開閉ユニット１１０開閉機構を分解した構成を示している。
【００２６】
ヒンジユニット１２０は、ヒンジケース２３０ａ、ヒンジケース２３０ｂ、ヒンジ２８０から構成されている。
【００２７】
ヒンジケース２３０ａは、ヒンジケース２３０ｂと一体的に結合可能なケース部材である。ヒンジケース２３０ａおよびヒンジケース２３０ｂは、ヒンジ２８０を内包するように結合する。ヒンジケース２３０ａは、上述のとおり、カム溝１５０が形成されている。
【００２８】
ヒンジ２８０は、ヒンジシャフト２４０ａおよびヒンジシャフト２４０ｂから構成されている。ヒンジシャフト２４０ａは、ヒンジシャフト２４０ｂと直交するよう組み合わさっている。
【００２９】
ヒンジシャフト２４０ａの両端に形成された留め板２５０ａおよび留め板２５０ｂは、筐体２７０に形成されたビス穴２６０ａおよびビス穴２６０ｂに対してビス留めされる。これにより、ヒンジシャフト２４０ａは筐体２７０に固定される。一方、ヒンジシャフト２４０ｂは、開閉ユニット１１０の側面と連結される。
【００３０】
ヒンジシャフト２４０ａは、デジタルビデオカメラ１００筐体に対する第１の方向への開閉ユニット１１０の開閉動作（回転移動）を支持する。一方、ヒンジシャフト２４０ｂは、開閉ユニット１１０がデジタルビデオカメラ１００に対して開いた状態からの第２の方向（第１の方向の直交方向）への回転動作（反転移動）を支持する。
【００３１】
以上のように、ヒンジ２８０の作用により、開閉ユニット１１０は、デジタルビデオカメラ１００に対して、第１の方向の開閉の回転移動および、開いた状態からの第２の方向の反転移動を行うことができる。
【００３２】
図７は、開閉ユニット１１０の開閉に伴う開閉機構部の動作の変移を示した図である。図７は、開閉ユニット１１０の液晶モニタ１１５がデジタルビデオカメラ１００の筐体側を向いている状態のときの、開閉機構部の詳細を示している。
【００３３】
図７（ａ）は、液晶モニタ１１５の非使用状態を示している。非使用状態とは、開閉ユニット１１０を、液晶モニタ１１５を内側にし、デジタルビデオカメラ１００の一方の側面を覆うようにして閉じている状態である。このとき、図７（ａ）に示すように、開閉レバー１６０のレバーピン１８０は、ヒンジユニット１２０のカム溝１５０の最下方に位置している。さらに、開閉レバーの下部１６５ｂは、スイッチレバー２１０を押し倒しておらず、スイッチレバー２１０はＯＦＦ状態の向きに付勢されている。
【００３４】
図７（ｂ）は、開閉ユニット１１０の非使用状態から使用状態へ遷移する途中の状態を示している。カム溝１５０は、ヒンジケース２３０ａに対して右上がりに（すなわち、螺旋の一部をなすように）形成されている。そのため、図７（ｂ）に示すように、開閉ユニット１１０をデジタルビデオカメラ１００に対して開いていくと（すなわち、開閉ユニット１１０を、ヒンジシャフト２４０ａを回転軸として回転させていくと）、開閉レバー１６０のレバーピン１８０は、ヒンジユニット１２０のカム溝１５０に沿って下方から上方へ移動していく。このレバーピン１８０の上方向への移動に伴い開閉レバー１６０は、レバー回転軸１７０を中心として回転し、開閉レバーの下部１６５ｂがスイッチレバー２１０を押し倒し始める。このとき、スイッチレバー２１０はＯＦＦ状態の向きに保持されるよう予め付勢されているため、この付勢に抗うよう開閉レバーの下部１６５ｂは移動する。
【００３５】
図７（ｃ）は、開閉ユニット１１０が開いた状態、すなわち液晶モニタ１１５が使用可能になった状態を示している。開閉レバーの下部１６５ｂがスイッチレバー２１０に対する付勢に抗うよう移動していくと、開閉レバー１６０のレバーピン１８０は、やがてヒンジユニット１２０のカム溝１５０の上端へ達する。このとき、開閉レバー１６０は、レバー回転軸１７０を中心として回転し、スイッチレバー２１０をＯＮ状態の向きにまで押し倒す。これにより、スイッチレバー２１０はＯＮ状態となり、スイッチ本体２００を介して、ＯＮ状態になった旨を示す信号を他の電子部品へ伝達することができる。
【００３６】
以上のように、本実施形態のデジタルビデオカメラ１００は、筐体２７０と、筐体２７０に対して、筐体２７０の側面に直交する方向に開閉可能な開閉ユニット１１０と、筐体２７０に対して開閉ユニット１１０を開閉可能に連結し、カム溝１５０が形成されたヒンジユニット１２０と、筐体内部に配置され、開閉ユニット１１０の開閉に応じた信号を出力するスイッチ１９０を備えた電子制御基盤２２０と、開閉ユニット１１０の開閉に伴ってヒンジユニット１２０に形成されたカム溝１５０と連携して動作することにより、筐体の側面に並行な方向に移動して電子制御基盤２００のスイッチ１９０のＯＮ／ＯＦＦを行う開閉レバー１６０と、を備える。
【００３７】
上記構成によれば、開閉レバー１６０は、開閉ユニット１１０の開閉に応じて、筐体の側面に並行な方向に移動して電子制御基盤２００のスイッチ１９０のＯＮ／ＯＦＦを行う。このため、デジタルビデオカメラ１００の筐体側面に直交する方向において、開閉検知機構を配置するためのスペースを確保する必要がなく、限られた筐体内スペースであっても、開閉検知機構をコンパクトに配置することができる。
【００３８】
カム溝１５０は、ヒンジユニット１２０の表面において、螺旋の一部をなす形状に形成されている。すなわち、カム溝１５０は、ヒンジユニット１２０の周囲に沿って、ヒンジユニット１２０の端部から中央部に向かって斜めに延びるように形成されている。このように形成されたカム溝１５０により、液晶モニタ１１５をデジタルビデオカメラ１００の筐体側面に直交する方向（第１の方向）に開く回転の動きを、デジタルビデオカメラ１００筐体側面に平行な方向（第１の方向に直交する第２の方向）の動きに変換することができる。
【００３９】
なお、開閉レバー１６０の長さは設計思想に応じて、適宜調節することができる。開閉レバー１６０の長さが変更されたとしても、開閉検知機構は同じである。開閉レバー１６０の長さを長くすることで、ヒンジユニット１２０と電子制御基盤２２０の間の距離が離れていても、スイッチ動作を行うことができる。
【００４０】
また、開閉レバー１６０は、開閉ユニット１１０の開閉に伴って、レバーピン１８０がカム溝１５０に沿って移動して筐体の側面に並行な方向に回転することにより、スイッチ１９０と当接した状態と、スイッチ１９０と当接していない状態とを遷移して、スイッチ１９０のＯＮ／ＯＦＦを行う。すなわち、レバーピン１８０がカム溝１５０に沿って移動することで、開閉レバー１６０を筐体の側面に並行な方向に回転させることができる。そして、開閉レバー１６０の回転により、スイッチ１９０と当接した状態と、スイッチ１９０と当接していない状態とを遷移して、スイッチ１９０のＯＮ／ＯＦＦを行うことができる。
【００４１】
開閉ユニット１１０は液晶モニタ１１５を含む。そして、スイッチ１９０は、液晶モニタ１１５の画面表示のＯＮ／ＯＦＦを制御するための信号を出力する。
【００４２】
〔他の実施形態〕
以上のように、本出願において開示する技術の例示として、実施の形態を説明した。しかしながら、本開示における技術は、これに限定されず、適宜、変更、置き換え、付加、省略などを行った実施の形態にも適用可能である。
【００４３】
上記の実施形態の開閉ユニット１１０は液晶モニタ１１５を備えていたが、開閉ユニットは液晶モニタを必ずしも備える必要はない。開閉ユニットは機器本体に対して開閉可能な部材であればよい。
【００４４】
上記の実施形態では、開閉ユニットを備える電子機器の一例としてデジタルビデオカメラを説明したが、本開示の思想の適用対象はデジタルビデオカメラに限定されるものではない。本開示の思想は、開閉機構を有するデジタルスチルカメラのような他の撮像装置や、折りたたみ式携帯電話にも適用することができる。すなわち、本開示の思想は開閉機構を有する電子機器に対して広く適用することができる。
【００４５】
以上のように、本開示における技術の例示として、実施の形態を説明した。そのために、添付図面および詳細な説明を提供した。
【００４６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４７】
また、上述の実施の形態は、本開示における技術を例示するためのものであるから、特許請求の範囲またはその均等の範囲において種々の変更、置き換え、付加、省略などを行うことができる。
【産業上の利用可能性】
【００４８】
本開示の思想は、デジタルビデオカメラのみならず、デジタルスチルカメラ、記録メディア再生装置、携帯電話のような開閉ユニットを備えた電子機器に適用可能である。
【符号の説明】
【００４９】
１００…デジタルビデオカメラ
１１０…開閉ユニット
１１５…液晶モニタ
１２０…ヒンジユニット
１５０…カム溝
１６０…開閉レバー
１９０…スイッチ
２２０…電子制御基盤
２７０…デジタルビデオカメラの筐体
【図１】
2014158260.tif 000003
【図２】
2014158260.tif 000004
【図３】
2014158260.tif 000005
【図４】
2014158260.tif 000006
【図５】
2014158260.tif 000007
【図６】
2014158260.tif 000008
【図７】
2014158260.tif 000009